(57)【要約】【課題】  ペットが地面等に排泄した糞に触れる不快感、不潔感を最小限にして確実に糞を取り込むことができ、取り込んだまま糞を直視することを要さずに廃棄することを可能とし、無公害性で安価に製造でき、使い捨てに適したペット用糞取込具を提供する。【解決手段】  紙等の無公害可燃性材でなる函体１０；２０；３０；４０の一面１３；２３；３３；４３に、内方または外方に傾斜し得る一枚または複数枚のフラップ１５；２５；３５；４５で開閉可能な糞取込用の開口１４；２４；３４；４４を設け、内方に傾斜させた時のフラップ１５；２５の内方端縁１５ｂ；２５ｂと離間する開口１４；２４の端縁１４ａ；２４ａ、またはこの端縁ならびに開口の面に位置するフラップの他方の端縁１５ａの一方または双方、または、外方に傾斜させた時のフラップ３５：４５の外方端縁３５ａ；４５ａを糞取込用の先端縁として地面と糞の間に挿入し、摺動させて糞を地面から分離させ、確実に函体内に取り込み得るペット用糞取込具。【選択図】  図１
0003112333.tif 000002
【実用新案登録請求の範囲】
【請求項１】
無公害可燃性材でなる函体（１０；２０；３０；４０）の一面（１３；２３；３３；４３）から内方または外方に傾斜する一枚または複数枚のフラップ（１５；２５；３５；４５）を有する糞取込用の開口（１４；２４；３４；４４）を備え、傾斜状態で開口面から内方または外方に離間する側のフラップの一方の端縁（１５ｂ；２５ｂ；３５ａ；４５ａ）は開口面から離間する位置と実質的に開口面と一致する位置との間を揺動可能として開口を開閉し得る自由端とし、内方に傾斜するフラップ（１５；２５）の自由端に対向する開口（１４；２５）の端縁（１４ａ；２４ａ）、または該端縁ならびに開口面に位置するフラップ（１５）の他方の端縁（１５ａ）の一方或いは双方、または外方に傾斜するフラップ（３５；４５）の自由端（３５ａ；４５ａ）を糞取込用の先端縁とすることを特徴とする、ペット用糞取込具。
【請求項２】
糞取込用の開口（２４）は、矩形状の函体（２０）の主表面（２３）のほぼ中央から函体の一辺近くまで設けられて主表面中央側の端縁（２４ａ）を糞取込用先端縁とし、フラップ（２５）は、開口面に位置する他方の端縁（２５ａ）を函体の前記一辺近くにおいて函体主表面と一体にすると共に、中央側の糞取込用先端縁から内方に離間する自由端となる一方の端縁（２５ｂ）とその両端から他方の端縁（２５ａ）の両端までの両側縁とを函体主表面から切り出されて函体内方に押し込まれる一枚として設けられ、この一枚のフラップの切り出しと押し込みによって開口が形成されることを特徴とする、請求項１記載のペット用糞取込具。
【請求項３】
糞取込用の開口（１４）は、ほぼ矩形の函体（１０）の主表面（１３）のほぼ全面に矩形に設けられ、フラップ（１５）はそれぞれ開口の短手側端縁（１４ａ，１４ｂ）と平行に、互いにほぼ等間隔に開口内を伸びる複数枚でなり、フラップの自由端（１５ｂ）に対向する開口の短手側端縁（１４ａ）と実質的に開口面に位置する各フラップの他方の端縁（１５ａ）との双方が糞取込用の先端縁であることを特徴とする、請求項１記載のペット用糞取込具。
【請求項４】
糞取込用の開口（３５）は、矩形状の函体（３０）の主表面（３３）のほぼ中央から函体の一辺近くまで設けられ、フラップ（３５）は、開口面に位置する他方の端縁（３５ｂ）を函体のほぼ中央部分において函体主表面（３３）と一体にすると共に、函体の一辺近くにおいて開口面から外方に離間する自由端となる一方の端縁（３５ａ）とその両端から中央部分の他方の端縁（３５ｂ）の両端までの両側縁とを函体主表面から切り出して函体外方に傾斜させる一枚として設けられ、この一枚のフラップ（３５）の切り出しと外方傾斜により開口（３５）が形成され、外方傾斜位置においてフラップの自由端（３５ａ）が糞取込用先端縁となることを特徴とする、請求項1記載のペット用糞取込具。
【請求項５】
糞取込用の開口（４４）は、函体（４０）の主表面（４３）に互いに平行に伸びる複数の長方形の窓として設けられ、フラップ（４５）は、それぞれ開口面に位置する他方の端縁（４５ｂ）を各窓の一方の長手方向側縁において函体主表面（４３）と一体にすると共に、開口面から外方に離間する自由端となる一方の端縁（４５ａ）とその両端から他方の端縁（４５ｂ）の両端までの両側縁とを函体主表面から切り出して函体から外方に傾斜させる復数枚として設けられ、函体から外方に傾斜する各フラップの自由端（４５ａ）が糞取込用の先端縁であることを特徴とする、請求項1記載のペット用糞取込具。
【考案の詳細な説明】
【技術分野】
【０００１】
この考案は犬、猫等のペットが排泄した糞の取込具に関し、特に、散歩中にペットが路面等に排泄した糞を、手を汚すことなく確実に取込み、衛生的に回収して、糞と共に簡便に廃棄することのできる使い捨て型のペット用糞取込具に関する。
【背景技術】
【０００２】
通常ペットが路面等に排泄した糞を回収するには割り箸で摘み取る、スコップ等で掬い取る、ビニール袋を介して掴み取る等の直接糞に接触する不快感や不潔感を伴う手段をとることになるが、これらの点に鑑み、多様な器具が提案されてきた。
【０００３】
たとえば特許第２９６３０９９号公報記載の動物の糞取り器は、柔軟でやや硬質の樹脂製の袋の少なくとも一辺をファスナーで開閉しうるようにし、他の一辺に弾性復帰力の強い帯状樹脂シートを貼着して、この開口を手で開いてへら等で糞を入れた後、樹脂シートの復帰力で自動的に閉じさせる。
【０００４】
また特許第３３４３７１７号公報には、上端を開口とした糞容器の後端に上蓋を開閉自在に枢着し、糞容器に対し角度変更自在に下端を枢着した柄の上端を把持部とし、把持部に対し相対的に移動させ得る操作レバーを柄に取付け、操作レバーの移動に連動して柄を後方に傾斜させる手段と上蓋を開放させる手段とを作動させるようにした犬の糞取り器が提案されており、犬が糞を排泄する体制に入る瞬間に柄を傾斜させて上蓋を開放させると共に、糞容器を犬の後方から両後足間に挿入して排泄される糞を収容できるようにしている。
【０００５】
更に、特開２００３−５２２６５号公報に記載の携帯糞取り器は、上下挟み片のそれぞれの舌状体端部を弾性体で結合して挟み片側を常開状態にし、開かれた上下挟み片の内側にビニール袋の底部を入れ、端縁部は外側に折り返して止めておき、糞をビニール袋内に掬い入れた後上下挟み片を強く握って閉じ、糞を単独で或いはビニール袋と共に廃棄する。
【特許文献１】特許第２９６３０９９号公報
【特許文献２】特許第３３４３７１７号公報
【特許文献３】特開２００３−５２２６５号公報
【考案の開示】
【考案が解決しようとする課題】
【０００６】
上記特許第２９６３０９９号公報の糞取り器は構成と操作が簡単で安価に製造できるが、使い捨てとするに充分な安さとは言えず、また、硬質樹脂であるため環境上の問題を生じる。反復して使用するにはファスナーを開いて袋の内外を洗浄せねばならず、ペットの飼い主は糞の取り込みと廃棄の両方で糞に接することになるから、その不快感を嫌う飼い主にはこの糞取り器は不向きである。
【０００７】
特許第３３４３７１７号公報の糞取り器はやや大型複雑で高価であるが、犬が排泄態勢に入る瞬間に糞を取り込む位置に置けるという利点がある。しかし、この瞬間を逸して地面に排泄された糞の取り込みが必要となった時には、飼い主が直接糞に接することが求められるばかりでなく、高価であるため使い捨てとはなりえず、反復使用のためには洗浄が不可欠となる点に課題が残る。
【０００８】
特開２００３−５２２６５号公報の糞取り器では、糞の挟み取りには常開状態の上下挟み片を強く握る力を必要とし、糞の収容後は上下挟み片を閉じたままにする係止手段を備えねばならない。また、糞の収容は挟み取り動作に頼るため、糞が確実に挟み取られるためには固い状態にある場合にしかこの糞取り器は使用に適さず、更に、糞の収容部分にはビニール袋を併用するので本体は汚れ難いとしても、ビニール袋の廃棄は環境上の問題を含む。
【０００９】
この考案はこれらの課題を解決するためになされたもので、その目的はペットの糞に触れる不快感を最小限にして糞を確実に容器内に取り込むことを可能とし、糞を直視することを必要とせずに廃棄でき、無公害性で安価に製造でき、使い捨てに適したペット用糞取込具を提供することである。
【課題を解決するための手段】
【００１０】
これらの課題を解決するために、この考案に係るペット用糞取込具は無公害可燃性材でなる函体の一面から内方または外方に傾斜する一枚または複数枚のフラップを有する糞取込用の開口を備え、傾斜状態で開口面から内方または外方に離間する側のフラップの一方の端縁は開口面から離間する位置と実質的に開口面と一致する位置との間を揺動可能として開口を開閉し得る自由端とし、内方に傾斜するフラップの自由端に対向する開口の端縁、または該端縁ならびに開口面に位置するフラップの他方の端縁の一方或いは双方、または外方に傾斜するフラップの自由端を糞取込用の先端縁とすることを特徴とする。
【００１１】
この考案に係るペット用糞取込具は、糞取込用の開口が、矩形状の函体表面のほぼ中央から函体の一辺近くまで設けられて主表面中央側の端縁を糞取込用先端縁とし、フラップは、開口面に位置する他方の端縁を函体の前記一辺近くにおいて函体主表面と一体にすると共に、中央側の糞取込用先端縁から内方に離間する自由端となる一方の端縁とその両端から他方の端縁の両端までの両側縁とを函体主表面から切り出して函体内方に押し込まれる一枚として設けられ、この一枚のフラップの切り出しと押し込みによって開口が形成されることを特徴とする。
【００１２】
この考案に係るペット用糞取込具は、糞取込用の開口が、ほぼ矩形の函体主表面のほぼ全面に矩形に設けられ、フラップはそれぞれ開口の短手側端縁と平行に、互いにほぼ等間隔に開口内を伸びる複数枚でなり、フラップの自由端に対向する開口の短手側端縁と実質的に開口面に位置する各フラップの他方の端縁との双方が糞取込用の先端縁であることを特徴とする。
【００１３】
この考案に係るペット用糞取込具は、糞取込用の開口が、矩形状の函体主表面のほぼ中央から函体の一辺近くまで設けられ、フラップは、開口面に位置する他方の端縁を函体のほぼ中央部分において函体主表面と一体にすると共に、函体のいっぺん近くにおいて開口面から外方に離間する自由端となる一方の端縁とその両端から中央部分の他方の端縁の両端までの両側縁とを函体主表面から切り出して函体外方に傾斜させる一枚として設けられ、この一枚のフラップの切り出しと外方傾斜により開口が形成され、外方傾斜位置においてフラップの自由端が糞取込用先端縁となることを特徴とする。
【００１４】
この考案に係るペット用糞取込具は、函体主表面に互いに平行に伸びる複数の長方形の窓として設けられ、フラップは、それぞれ開口面に位置する他方の端縁を各窓の一方の長手方向側縁において函体主表面と一体にすると共に、開口面から外方に離間する自由端となる一方の端縁とその両端から他方の端縁の両端までの両側縁とを函体主表面から切り出して函体から外方に傾斜させる複数枚として設けられ、函体から外方に傾斜する各フラップの自由端が糞取込用の先端縁であることを特徴とする。
【考案の効果】
【００１５】
この考案によれば、ペット用糞取込具は紙等の無公害可燃性材で折り畳みと組立てが可能な箱型に、片手で把持できる寸法に作成した函体でなり、その主表面に、一端を自由端として函体内方または外方に傾斜させ得る一枚または複数枚のフラップで開閉できる糞取込用の開口を設けるのみの、極めて簡単で安価な構成を有する。使用の際には、函体を箱状に組立て、フラップを傾斜させて開口を開き、地面に排泄された糞を開口に入れるように函体を被せ、フラップを内方に傾斜させた時はその自由端に対向する開口の端縁またはこの端縁と開口面に位置するフラップの他方の端縁の一方または双方、フラップを外方に傾斜させた時はフラップの自由端を糞取込用の先端縁として、地面と糞の間に挿入し、地面に沿って摺動させて糞を地面から確実に分離し、函体内に取り込むことができ、その後はフラップを平らにして開口を閉じるか、糞の重さで閉じられるから、使用者は糞に直接触れる感触を持つことなく、最小限の不潔感、不快感をもって糞を回収できる。
【考案を実施するための最良の形態】
【００１６】
この考案によるペット用糞取込具を、図に示すいくつかの実施例について説明する。
【実施例１】
【００１７】
図１はこの考案の実施例１におけるペット用糞取込具の斜視図、図２はこの糞取込具の構成を示す図１のＩＩ−ＩＩ線に沿う一部断面図である。
【００１８】
図１と図２において、例えば厚紙のようにある程度の強靭性を有し、無公害性の可燃材によって矩形箱状に作成された函体１０でなるペット用糞取込具は、その長手方向の両端の蓋部１１，１２の折り曲げ先端を函体内に挿入することによって、函体形状を維持するが、先端を引き出して蓋部１１，１２を伸長させれば両側面部が倒れて、全体を平坦に折り畳み可能である。従ってこの考案のペット用糞取込具は、保管ないし販売の際には折り畳み状態にある多数の函体１０を積み重ねて一単位とし、使用の際にはひとつの函体１０を取り出して側面部を起こし、蓋部１１，１２の先端を函体内に挿入して箱状に組み立てる。
【００１９】
函体１０の主表面１３には、そのほぼ全面に糞取込用の開口１４を設けるが、好ましくは函体の長手方向の一方、図では蓋体１１の側の一辺に続く主表面１３の一部は閉じ部１３ａとして残し、その内側の空間が、開口１４から取り込んだ糞の収容部となるようにする。
【００２０】
開口１４には、その短手側端縁１４ａ，１４ｂと平行に、互いにほぼ等間隔に開口面に沿って伸びる複数枚のフラップ１５が設けられる。これらフラップ１５は、主表面１３の閉じ部１３ａの縁部となる開口の一方の端縁１４ａに向かう側の一方の端縁１５ｂを自由端として、函体１０の内方に傾斜させて糞を函体１０内に取り込む場合には開口１４を開き、取り込んだ後は函体１０内の糞が自由端を内部から押して開口１４を閉じ、糞は函体内に保持されるように揺動可能に設けられる。開口１４の端縁１４ａとは反対の側の各フラップ１５の他方の端縁１５ａは、その両端が開口１４の長手側端縁１４ｃ，１４ｄにおいて主表面１３の長手側辺沿いの側部１３ｂ，１３ｃと一体に作られる。つまり、フラップ１５はそれぞれ、開口１４の面内に位置される他方の端縁１５ａの両端に隣接する短い結合部分１５ｃ，１５ｄを残して、長手方向両端縁の他の部分と、自由端となる一方の端縁１５ｂの部分とを主表面１３に入れた切り線に沿って切り出し、一方の端縁１５ｂの側を函体内方に傾斜させることによって形成される。同時に、開口１４が開かれた状態になる。
【００２１】
このようにフラップ１５を傾斜させるには、前以てフラップを折り曲げて傾斜の癖をつけておいても良いし、使用の際に使用者が指先で自由端側を押し込むようにしても良い。このため、図示の例では、各フラップの長手方向両端縁の結合部分１５ｃ，１５ｄ間の、端縁１５ａに沿う細長い平坦部分と自由端端縁１５ｂ側の傾斜部分との連接線に沿って、例えばミシン目を入れて置き、傾斜部分を傾斜させることが容易となるようにする。或いは、図示はしないが、端縁１５ａに沿って平坦部分が生じないように、例えば結合部分１５ｃ，１５ｄのそれぞれの傾斜部分側終点と自由端端縁１５ｂの両端の角とから、他方の端縁１５ａ上において結合部分の他方の終点から少し離れた一点まで、端縁１５ａに斜交するミシン目等の折り曲げ線を入れて折り曲げるようにすることもできる。
【００２２】
傾斜する多数のフラップを、端縁１５ａに沿う平坦部分が生じないように形成する他の手段として、図３の部分断面図に示すように、各フラップ１５を別々に、開口１４の短手側寸法より長くして設け、その長くした両端の他方の端縁１５ａ側に、函体１０の主表面側部１３ｂ，１３ｃの内面に貼着する脚部１５ｅを設け、脚部１５ｅの付け根を折り曲げて、自由端端縁１５ｂ側を函体内方に傾斜させて各フラップ１５を次々に、脚部１５ｅにおいて主表面側部内面に貼着する。この時、脚部１５ｅの先端がとなりのフラップの傾斜面に触れるようにすれば、函体１０を折り畳み状態から組立てた時、各フラップ１５を自然に傾斜状態に起き上がらせるように働く。フラップのこの構成による実験では、隣接する各フラップの他方の端縁１５ａ間の間隔、つまり各開口部分の幅を約９ミリメートル、各フラップ１５の幅を約１０ミリメートルとしたとき、好適な糞取込効果が得られた。
【００２３】
なお、図３ではフラップ１５の脚部１５ｅを主表面側部１３ｂ，１３ｃの内面に貼着する例を示したが、フラップを開口の短手側寸法とほぼ同寸とし、脚部を他方の端縁１５ａ両端部分からフラップの長手方向に張り出す形で設ければ、脚部を主表面側部１３ｂ，１３ｃの表面に貼着することが可能となり，端縁１５ａを主表面１３よりフラップの厚さ分だけ突き出させ得る。
【００２４】
糞を取り込むには、上記のように各フラップ１５の自由端端縁１５ｂ側を函体の内方に傾斜させて開口１４を開いた状態にし、開口側を下にして、つまり開口を地面に向けて函体を把持し、開口部分を糞にかぶせ、フラップ１５の開口面に位置する端縁１５ａが地面に達するまで函体を糞に押し付け、次いで、函体１０の長手方向のうち各フラップ１５の端縁１５ａと、閉じ部１３ａの縁部となる開口端縁１４ａとが先端となる方向に函体１０を移動させる。この移動の際の先端縁として開口面に在るフラップ端縁１５ａと開口端縁１４ａは地面に沿って摺動し、糞を地面から分離させて函体内に取り込む作用を果たす。この移動方向を、函体１０の開口１４とは反対側の面に矢印で示しておけば便利である。
【実施例２】
【００２５】
図４はこの考案の実施例２におけるペット用糞取込具を斜視図で示す。函体２０は実施例１と同様に折り畳みと組み立て可能に形成されるが、糞取込用の開口２４は函体２０の主表面２３のほぼ中央部分から一方の端手側辺近くまでのものとして設けられ、フラップ２５は開口２４の中央側端縁２４ａに対向する自由端端縁２５ｂから函体の上記一方の短手側辺近くで主表面２３と一体に結合される端縁２５ａまで連続する一枚として設けられる．したがってこの一枚のフラップ２５は開口の中央側端縁２４ａと長手側縁２４ｃ，２４ｄに沿って切り出され、自由端端縁２５ｂの側を内方に押し込んで開口端縁２４ａから離間させて傾斜させる。フラップ２５の例えばほぼ中央に指掛け穴またはスリット２６を設けておけば、糞取込み後にフラップ２５を引き上げて開口２４を閉じるときに便宜である。
【００２６】
糞の取込の際には、開いた状態の開口２４に糞を入れるように函体２０を被せ、開口の中央側端縁２４ａを先端縁として地面と糞との間に摺動挿入させ、糞を主表面閉じ部２３ａの内部に取込み、フラップ２５の引き上げにより開口２４を閉じて糞を函体内に収容する。
【実施例３】
【００２７】
図５はこの考案の実施例３におけるペット用糞取込具を斜視図で示し、図において函体３０は実施例１と同様に折り畳みと組立て可能に設けられるが、一枚のフラップ３５が、実施例２とは逆に、一方の端縁３５ｂにおいて開口３４の中央側端縁３４ａと一体に結合し、函体の短手側一辺近くの他方の端縁３５ａを自由端として切り出して設けられ、自由端側を函体から外方に引き出して傾斜させる。
【００２８】
糞の取込の際には、したがって、自由端端縁３５ａを先端縁として先ず地面と糞の間に挿入し、ついでこの先端縁を地面に沿って摺動させて函体３０を移動させ、糞を函体内に取り込んだ後、フラップ３５を閉じる。
【実施例４】
【００２９】
図６はこの考案の実施例４によるペット用糞取込具の斜視図である。この場合の函体４０は、実施例３のフラップ３５のように、主表面４３から切り出し、外方に引き出して傾斜させるフラップ４５を複数枚備える。従って実施例３のフラップ３５と開口３４よりも細長いフラップ４５と開口４４の複数の組合せが、函体４０の長手方向に、互いに平行に連続して設けられ、開口面から外方に離間する各フラップ４５の自由端端縁４５aが、糞取込用の先端縁として機能する。
【図面の簡単な説明】
【００３０】
【図１】この考案の実施例１におけるペット用糞取込具の斜視図。
【図２】図１のペット用糞取込具におけるフラップの構成を示すＩＩ−ＩＩ線に沿う部分断面図。
【図３】図１のペット用糞取込具に適用し得るフラップ構成の他の例を示す部分断面図。
【図４】この考案の実施例２におけるペット用糞取込具の斜視図。
【図５】この考案の実施例３におけるペット用糞取込具の斜視図。
【図６】この考案の実施例４におけるペット用糞取込具の斜視図。
【符号の説明】
【００３１】
１０；２０；３０；４０    函体
１１    蓋部
１２    蓋部
１３；２３；３３；４３    主表面
１３ａ；２３ａ    閉じ部
１３ｂ，１３ｃ    側部
１４；２４；３４；４４    開口
１４ａ，１４ｂ    開口の短手側端縁
１４ｃ，１４ｄ    開口の長手側端縁
１５；２５；３５；４５    フラップ
１５ａ，１５ｂ；２５ａ，２５ｂ；３５ａ，３５ｂ；４５ａ，４５ｂフラップの端縁
１５ｃ，１５ｄ    フラップの結合部分
２４ａ    開口の中央側端縁
２４ｃ，２４ｄ    開口の長手側縁
２６    フラップの指掛け穴
【図１】
0003112333.tif 000003
【図２】
0003112333.tif 000004
【図３】
0003112333.tif 000005
【図４】
0003112333.tif 000006
【図５】
0003112333.tif 000007
【図６】
0003112333.tif 000008